(57)【特許請求の範囲】
【請求項１】
大きくは、篩本体及びそれに付け外しする塵取り部で構成されるが、篩本体において、ほぼ平らな底面の四方（前方、後方、左右側方）のうちの前方を除き、左右両側方から後方に連続した周壁があり、この周壁は、前方から後方にかけて徐々に高くなり、最も高くなった地点で左右の側面壁をつなぐ背面壁が形成されるのであり、篩本体の底面において、前方の３分の１程の前方底面のほぼ全面には、長さ３センチ程・高さ１．５ミリほどの細いゴミ滑り止めリブを、相互数センチ間隔で破線状に配設し、残りの後方３分の２程の後方底面のほぼ全面には、相互約４．５センチ間隔で直径約３センチ程の多数の分別孔を設け、分別孔の縁には、高さ１．５ミリ程の砂礫分壊リブを配設するのであり、この後方底面は前方底面より僅か数ミリ低く形成され、後方底面と前方底面との底面境界段差は斜面状に形成されるのであるが、後方底面に関わる領域において、そこに境界を接する背面壁は、下からの高さ約半分程まで内側から脹らむ形で塵取り収納ポケット部を形成し、この塵取り収納ポケット部において、上縁は、更に５ミリ程の内径を持つ溝が外側へリング状にせり出す形で、塵取りエッジ受け溝を形成し、背面壁の真ん中辺に直径約２．５センチ程の塵取り押し出し用丸孔を設けるのであって、塵取り部は、外形が篩本体の塵取り収納ポケット部にスッポリ納まる形状に形成されるが、塵取り部底面には、篩本体の前方底面におけると同様に、ゴミ滑り止めリブを配設し、塵取り部周壁面の上縁には、外側へ数ミリはみ出したツバ状の塵取りエッジを形成するのであり、このように形成された篩本体と塵取り部とを組み合わせ、場面に応じて塵取り部を付けたり外したりしながら利用することを特徴とする箕篩（みぶるい）。
【発明の詳細な説明】
【技術分野】
【０００１】  本発明は、屋外（庭等）又は建築現場等での掃除の際使用される掃除用具箕篩（みぶるい）に関するものである。
【背景技術】
【０００２】  従来、庭や建築現場等での掃除の際、落ち葉、小枝、木片などと一緒に砂、小石等が混じって分別される事なくそのまま捨てられていた。
【発明の概要】
【発明が解決しようとする課題】
【０００３】  従来、庭や建築現場等での掃除の際、掃除用具手箕及び塵取り等に集められた落ち葉、小枝、木片などと一緒に砂、小石等が分別される事無く捨てられていた為、ゴミの量が多く袋も重かった。
又砂、小石等が混じる事により焼却炉の燃焼効率を悪くしていた。
本発明は以上の問題点を解決するものである。
【課題を解決するための手段】
【０００４】  大きくは、篩本体及びそれに付け外しする塵取り部で構成される。篩本体において、ほぼ平らな底面の四方（前方、後方、左右側方）のうち前方を除き、左右両側方から後方に連続した周壁があり、この周壁は、前方から後方にかけて徐々に高くなり、最も高くなった地点で左右の側面壁をつなぐ背面壁が形成される。
篩本体の底面において、前方の３分の１程の前方底面のほぼ全面には、長さ３センチ程・高さ１．５ミリ程の細いゴミ滑り止めリブを、相互数センチ間隔で破線状に配置し、残りの後方３分の２程の後方底面のほぼ全面には、相互約４．５センチ間隔で直径約３センチ程の多数の分別孔を設け、分別孔の縁には高さ１．５ミリ程の砂礫分壊リブを配置するのであるが、この後方底面は前方底面より僅か数ミリ低く形成され、後方底面と前方底面との底面境界段差は斜面状に形成される。
後方底面に関わる領域において、そこに境界を接する背面壁は、下から高さ約半分程まで内側から外側へ脹らむ形で塵取り収納ポケット部を形成する。この塵取り収納ポケット部において、上縁は、更に５ミリ程の内径を持つ溝が外側へリング状にせり出す形で、塵取りエッジ受け溝を形成し、背面壁の真ん中辺に直径約２．５センチ程の塵取り押し出し用丸孔を設ける。
塵取り部は、外形が篩本体の塵取り収納ポケット部にスッポリ納まる形状に形成されるが、塵取り部底面には、篩本体の前方底面におけると同様に、ゴミ滑り止めリブを配設し、塵取り部周壁面の上縁には、外側へ数ミリはみ出したツバ状の塵取りエッジを形成する。
このように形成された篩本体と塵取り部とを組み合わせ、場面に応じて塵取り部を付けたり外したりしながら利用する。
以上を特徴とする箕篩（みぶるい）である。
【発明の効果】
【０００５】  以下、本発明の効果を説明する。
庭や建築現場、公園等での掃除の際、落ち葉、小枝、木片などと、砂、小石などが一緒に混じったゴミを、篩本体で篩う事により、砂、小石等の分別が素早く容易に出来、ゴミの軽減及び焼却炉の燃焼効率を高める事が出来る。篩う必要のないごみは塵取り部だけを外して使えばよい。一度により多いゴミを持ち運びたいときは塵取り部を装着して大きな塵取りとして利用すれば効率がよい。一つで箕・篩・塵取りの三通りの掃除用具の役割に簡単に変化させる事が出来る為、場所に応じて使い分けをする事が出来、塵取りと篩が一体となって同時使用も可能となる。
又、三種類の掃除用具が、一つにまとまる為持ち運びも便利になる。
【図面の簡単な説明】
【０００６】
【図１】本発明の立体分解図
【図２】本発明の斜視図
【図３】本発明のＡＡ′断面図
【図４】本発明の背面図
【図５】本発明のＢＢ′断面図
【図６】本発明の側面図
【発明を実施するための形態】
【０００７】  以下、本発明の実施の形態を説明する。
大きくは、篩本体（１）及びそれに付け外しする塵取り部（２）で構成される。篩本体（１）において、ほぼ平らな底面の四方（前方、後方、左右側方）のうちの前方を除き、左右両側方から後方に連続した周壁があり、この周壁は、前方から後方にかけて除々に高くなり、最も高くなった地点で左右の側面壁（１４）をつなぐ背面壁（１３）が形成される。
篩本体（１）の底面において、前方の３分の１程の前方底面（１１）のほぼ全面には、長さ３センチ程・高さ１．５ミリ程の細いゴミ滑り止めリブ（７）を、相互数センチ間隔で破線状に配設し、残りの後方３分の２程の後方底面（１２）のほぼ全面には、相互約４．５センチ間隔で直径約３センチ程の多数の分別孔（４）を設け、分別孔（４）の縁には高さ１．５ミリ程の砂礫分壊リブ（５）を配設するのであるが、この後方底面（１２）は前方底面（１１）より僅か数ミリ低く形成され、後方底面（１２）と前方底面（１１）との底面境界段差（１０）は斜面状に形成される。
後方底面（１２）に関わる領域において、そこに境界を接する背面壁（１３）は、下から高さ約半分程まで内側から外側へ脹らむ形で塵取り収納ポケット部（３）を形成する。この塵取り収納ポケット部（３）において、上縁は、更に５ミリ程の内径を持つ溝が外側へリング状にせり出す形で、塵取りエッジ受け溝（９）を形成し、背面壁（１３）の真ん中辺に直径約２．５センチ程の塵取り押し出し用丸孔（６）を設ける。
塵取り部（２）は、外形が篩本体（１）の塵取り収納ポケット部（３）にスッポリ納まる形状に形成されるが、塵取り部底面（１５）には、篩本体（１）の前方底面（１１）におけると同様に、ゴミ滑り止めリブ（７）を配設し、塵取り部周壁面の上縁には、外側へ数ミリはみ出したツバ状の塵取りエッジ（８）を形成する。
このような形成された篩本体（１）と塵取り部（２）とを組み合わせ、場面に応じて塵取り部（２）を付けたり外したりしながら利用する。
本発明は、以上の様な構成であり、以下、具体的な使用例を説明する。
箕篩本体は、屋外（庭等）又は建築現場、公園等の掃除の際、従来の箕と同様にゴミを集めることが出来、箕篩本体から塵取り部を外すことにより篩に変え、篩で篩うことにより、砂、小石混じりのゴミの分別が素早く簡単に出来る。又塵取り部（２）は、小さなゴミ、狭い場所等での作業には小回りが効いて便利である。
箕篩本体から塵取り部を付け外しする事により、使用目的と場所に応じて、一つで箕、篩、塵取りの三通りの使い分けができて便利である。
【符号の説明】
【０００８】１  篩本体，  ２  塵取り部，  ３  塵取り収納ポケット部，  ４  分別孔，  ５  砂礫分壊リブ，  ６  塵取り押し出し用丸孔，  ７  ゴミ滑り止めリブ，  ８  塵取りエッジ，  ９  塵取りエッジ受け溝，  １０  底面境界段差，  １１  前方底面，  １２  後方底面，  １３  背面壁，  １４  側面壁，  １５  塵取り部底面，  １６  塵取り周壁面，
【図１】
0005610355.tif 000002
【図２】
0005610355.tif 000003
【図３】
0005610355.tif 000004
【図４】
0005610355.tif 000005
【図５】
0005610355.tif 000006
【図６】
0005610355.tif 000007